(57)【要約】【課題】ヘテロジニアスネットワークに下りリンク時分割多重型干渉制御が適用された場合でも、マクロ端末の上りリンクのスループットを低下させないようにすることができる無線リソース割当装置、及び無線リソース割当プログラムを提供する。【解決手段】与干渉局と被干渉局との干渉を時分割多重型干渉制御する無線通信システムにおいて、無線リソース割当装置１００ａは、干渉を制御するためのサブフレームであるか否かを示すサブフレームタイプを定める設定部１１０と、サブフレームタイプに基づいて、無線リソース割当の優先度を定めるためのメトリックのパラメータを算出するパラメータ算出部１５０ａと、パラメータに基づいて、メトリックを算出するメトリック算出部１２０と、メトリックに基づいて、被干渉局の上りリンクの無線リソースを割り当てる割当部１３０とを備える。【選択図】図３
2013183166.tif 000002
【特許請求の範囲】
【請求項１】
与干渉局と被干渉局との干渉を時分割多重型干渉制御する無線通信システムにおいて、
干渉を制御するためのサブフレームであるか否かを示すサブフレームタイプを定める設定部と、
前記サブフレームタイプに基づいて、無線リソース割当の優先度を定めるためのメトリックのパラメータを算出するパラメータ算出部と、
前記パラメータに基づいて、前記メトリックを算出するメトリック算出部と、
前記メトリックに基づいて、前記被干渉局の上りリンクの無線リソースを割り当てる割当部と、
を備えることを特徴とする無線リソース割当装置。
【請求項２】
前記メトリック算出部は、前記干渉を制御するためのサブフレームを前記サブフレームタイプが示す場合、パスロスが相対的に大きい端末に無線リソースを優先して割り当てるよう前記パラメータを算出し、前記干渉を制御するためのサブフレームでないサブフレームを前記サブフレームタイプが示す場合、パスロスが相対的に小さい端末に無線リソースを優先して割り当てるよう前記パラメータを算出することを特徴とする請求項１に記載の無線リソース割当装置。
【請求項３】
前記パラメータ算出部は、
所定条件が成立する端末であるか否かを端末毎に判定する判定部と、
前記サブフレームタイプに基づいて端末毎の重み係数を定める重み算出部と、
を有し、
前記メトリック算出部は、前記端末毎の重み係数を積算することにより、端末毎のメトリックをサブフレーム毎に算出することを特徴とする請求項１又は請求項２に記載の無線リソース割当装置。
【請求項４】
前記判定部は、予め定められたパスロス閾値と、端末毎のパスロス値とを比較することにより、前記所定条件が成立する端末であるか否かを端末毎に判定することを特徴とする請求項３に記載の無線リソース割当装置。
【請求項５】
前記判定部は、セル毎のパスロス累積分布関数値に基づく閾値と、端末毎のパスロス値とを比較することにより、前記所定条件が成立する端末であるか否かを端末毎に判定することを特徴とする請求項３に記載の無線リソース割当装置。
【請求項６】
前記重み算出部は、予め定められた固定値を、前記端末毎の重み係数と定めることを特徴とする請求項３から請求項５のいずれか一項に記載の無線リソース割当装置。
【請求項７】
前記重み算出部は、前記サブフレームタイプ毎のサブフレーム数に基づいて、前記端末毎の重み係数を定めることを特徴とする請求項３から請求項５のいずれか一項に記載の無線リソース割当装置。
【請求項８】
前記重み算出部は、端末毎のパスロス値に基づいて、前記端末毎の重み係数を定めることを特徴とする請求項７に記載の無線リソース割当装置。
【請求項９】
前記パラメータ算出部は、
前記サブフレームタイプに基づいて端末の送信電力を定める電力算出部
を有し、
前記メトリック算出部は、前記端末の送信電力に基づいて、無線リソース毎の受信品質を推定することにより、端末毎のメトリックを算出することを特徴とする請求項１又は請求項２に記載の無線リソース割当装置。
【請求項１０】
前記電力算出部は、前記干渉を制御するためのサブフレームを前記サブフレームタイプが示す場合、前記端末の送信電力を増加させ、前記干渉を制御するためのサブフレームでないサブフレームを前記サブフレームタイプが示す場合、前記端末の送信電力を低下させることを特徴とする請求項９に記載の無線リソース割当装置。
【請求項１１】
前記電力算出部は、前記干渉を制御するためのサブフレームを前記サブフレームタイプが示す場合、前記端末の送信電力を増加させ、前記干渉を制御するためのサブフレームでないサブフレームを前記サブフレームタイプが示す場合、ワイドバンド信号対干渉雑音比、又は、端末毎に割り当てられた無線リソースにおける信号対干渉雑音比が、信号対干渉雑音比の閾値を下回らない範囲で、前記端末の送信電力を低下させることを特徴とする請求項９又は請求項１０に記載の無線リソース割当装置。
【請求項１２】
前記電力算出部は、全ての端末について同じ値である前記端末毎の前記信号対干渉雑音比の閾値を下回らない範囲で、前記端末の送信電力を低下させることを特徴とする請求項１１に記載の無線リソース割当装置。
【請求項１３】
前記電力算出部は、端末毎のパスロス値に基づいて定められた、前記端末毎の前記信号対干渉雑音比の閾値を取得し、該信号対干渉雑音比の閾値を下回らない範囲で、前記端末の送信電力を低下させることを特徴とする請求項１１に記載の無線リソース割当装置。
【請求項１４】
前記電力算出部は、セル毎のパスロス累積分布関数値に基づいて定められた、前記端末毎の前記信号対干渉雑音比の閾値を取得し、該信号対干渉雑音比の閾値を下回らない範囲で、前記端末の送信電力を低下させることを特徴とする請求項１１に記載の無線リソース割当装置。
【請求項１５】
前記電力算出部は、ワイドバンド信号対干渉雑音比に基づいて定められた、前記端末毎の前記信号対干渉雑音比の閾値を取得し、該信号対干渉雑音比の閾値を下回らない範囲で、前記端末の送信電力を低下させることを特徴とする請求項１１に記載の無線リソース割当装置。
【請求項１６】
前記電力算出部は、前記端末の送信電力に上限値及び下限値を定めることを特徴とする請求項９から請求項１５のいずれか一項に記載の無線リソース割当装置。
【請求項１７】
与干渉局と被干渉局との干渉を時分割多重型干渉制御する無線通信システムのコンピュータに、
干渉を制御するためのサブフレームであるか否かを示すサブフレームタイプを定める手順と、
前記サブフレームタイプに基づいて、無線リソース割当の優先度を定めるためのメトリックのパラメータを算出する手順と、
前記パラメータに基づいて、前記メトリックを算出する手順と、
前記メトリックに基づいて、前記被干渉局の上りリンクの無線リソースを割り当てる手順と、
を実行させるための無線リソース割当プログラム。
【発明の詳細な説明】
【技術分野】
【０００１】
本発明は、無線リソース割当装置、及び無線リソース割当プログラムに関する。
【背景技術】
【０００２】
ヘテロジニアスネットワーク（ＨｅｔＮｅｔ）における下りリンクへの干渉を制御する技術として、サブフレーム単位で干渉を制御する時分割多重（Ｔｉｍｅ Ｄｉｖｉｓｉｏｎ Ｍｕｌｔｉｐｌｅｘｉｎｇ：ＴＤＭ）型干渉制御が、非特許文献１に開示されている。また、ヘテロジニアスネットワークにおける上りリンクへの干渉を制御することを目的とした通信制御方法が、特許文献１に開示されている。
【先行技術文献】
【特許文献】
【０００３】
【特許文献１】特開２０１２−５０８６号公報
【非特許文献】
【０００４】
【非特許文献１】小西  外２名，“TDM型干渉制御手法を適用したピコ局混在型ＨｅｔＮｅｔにおける下りリンクの性能評価，”Ｂ‐５‐７３，信学総大，Ｍａｒ． ２０１１．
【発明の概要】
【発明が解決しようとする課題】
【０００５】
時分割多重型干渉制御において、サブフレームタイプには、干渉を制御するためのサブフレーム（以下、「干渉制御サブフレーム」という）と、干渉制御サブフレームでないサブフレーム（以下、「ノーマルサブフレーム」という）とがある。
【０００６】
下りリンクへの干渉を制御するための時分割多重型干渉制御（以下、「下りリンク時分割多重型干渉制御」という）が、ヘテロジニアスネットワークに適用された場合、与干渉局としてのマクロ基地局は、マクロ基地局に接続している端末（以下、「マクロ端末」という）に干渉制御サブフレームを送信するタイミングでは、データ信号のみならず制御信号も停波させる必要がある。ここで、制御信号には、無線リソースを上りリンクに割り当てた結果をマクロ端末に通知するための信号が含まれる。
【０００７】
マクロ基地局に接続しているマクロ端末は、この制御信号が停波された場合、上りリンクの無線リソース割当の結果が判らないので、上りリンクにより無線リソースを送信することができない。これにより、マクロ端末の上りリンクのスループットは、大きく低下してしまうという問題がある。
【０００８】
本発明は、前記の点に鑑みてなされたものであり、マクロ基地局と他の基地局とを有するヘテロジニアスネットワークに、下りリンク時分割多重型干渉制御が適用された場合でも、マクロ端末の上りリンクのスループットを低下させないようにすることができる無線リソース割当装置、及び無線リソース割当プログラムを提供することを目的とする。
【課題を解決するための手段】
【０００９】
本発明は、上記の課題を解決するためになされたものであり、与干渉局と被干渉局との干渉を時分割多重型干渉制御する無線通信システムにおいて、干渉を制御するためのサブフレームであるか否かを示すサブフレームタイプを定める設定部と、前記サブフレームタイプに基づいて、無線リソース割当の優先度を定めるためのメトリックのパラメータを算出するパラメータ算出部と、前記パラメータに基づいて、前記メトリックを算出するメトリック算出部と、前記メトリックに基づいて、前記被干渉局の上りリンクの無線リソースを割り当てる割当部と、を備えることを特徴とする無線リソース割当装置である。
【００１０】
また、本発明は、前記メトリック算出部が、前記干渉を制御するためのサブフレームを前記サブフレームタイプが示す場合、パスロスが相対的に大きい端末に無線リソースを優先して割り当てるよう前記パラメータを算出し、前記干渉を制御するためのサブフレームでないサブフレームを前記サブフレームタイプが示す場合、パスロスが相対的に小さい端末に無線リソースを優先して割り当てるよう前記パラメータを算出することを特徴とする無線リソース割当装置である。
【００１１】
また、本発明は、前記パラメータ算出部が、所定条件が成立する端末であるか否かを端末毎に判定する判定部と、前記サブフレームタイプに基づいて端末毎の重み係数を定める重み算出部と、を有し、前記メトリック算出部が、前記端末毎の重み係数を積算することにより、端末毎のメトリックをサブフレーム毎に算出することを特徴とする無線リソース割当装置である。
【００１２】
また、本発明は、前記判定部が、予め定められたパスロス閾値と、端末毎のパスロス値とを比較することにより、前記所定条件が成立する端末であるか否かを端末毎に判定することを特徴とする無線リソース割当装置である。
【００１３】
また、本発明は、前記判定部が、セル毎のパスロス累積分布関数値に基づく閾値と、端末毎のパスロス値とを比較することにより、前記所定条件が成立する端末であるか否かを端末毎に判定することを特徴とする無線リソース割当装置である。
【００１４】
また、本発明は、前記重み算出部が、予め定められた固定値を、前記端末毎の重み係数と定めることを特徴とする無線リソース割当装置である。
【００１５】
また、本発明は、前記重み算出部が、前記サブフレームタイプ毎のサブフレーム数に基づいて、前記端末毎の重み係数を定めることを特徴とする無線リソース割当装置である。
【００１６】
また、本発明は、前記重み算出部が、端末毎のパスロス値に基づいて、前記端末毎の重み係数を定めることを特徴とする無線リソース割当装置である。
【００１７】
また、本発明は、前記パラメータ算出部が、前記サブフレームタイプに基づいて端末の送信電力を定める電力算出部を有し、前記メトリック算出部が、前記端末の送信電力に基づいて、無線リソース毎の受信品質を推定することにより、端末毎のメトリックを算出することを特徴とする無線リソース割当装置である。
【００１８】
また、本発明は、前記電力算出部が、前記干渉を制御するためのサブフレームを前記サブフレームタイプが示す場合、前記端末の送信電力を増加させ、前記干渉を制御するためのサブフレームでないサブフレームを前記サブフレームタイプが示す場合、前記端末の送信電力を低下させることを特徴とする無線リソース割当装置である。
【００１９】
また、本発明は、前記電力算出部が、前記干渉を制御するためのサブフレームを前記サブフレームタイプが示す場合、前記端末の送信電力を増加させ、前記干渉を制御するためのサブフレームでないサブフレームを前記サブフレームタイプが示す場合、ワイドバンド信号対干渉雑音比、又は、端末毎に割り当てられた無線リソースにおける信号対干渉雑音比が、信号対干渉雑音比の閾値を下回らない範囲で、前記端末の送信電力を低下させることを特徴とする無線リソース割当装置である。
【００２０】
また、本発明は、前記電力算出部が、全ての端末について同じ値である前記端末毎の前記信号対干渉雑音比の閾値を下回らない範囲で、前記端末の送信電力を低下させることを特徴とする無線リソース割当装置である。
【００２１】
また、本発明は、前記電力算出部が、端末毎のパスロス値に基づいて定められた、前記端末毎の前記信号対干渉雑音比の閾値を取得し、該信号対干渉雑音比の閾値を下回らない範囲で、前記端末の送信電力を低下させることを特徴とする無線リソース割当装置である。
【００２２】
また、本発明は、前記電力算出部が、セル毎のパスロス累積分布関数値に基づいて定められた、前記端末毎の前記信号対干渉雑音比の閾値を取得し、該信号対干渉雑音比の閾値を下回らない範囲で、前記端末の送信電力を低下させることを特徴とする無線リソース割当装置である。
【００２３】
また、本発明は、前記電力算出部が、ワイドバンド信号対干渉雑音比に基づいて定められた、前記端末毎の前記信号対干渉雑音比の閾値を取得し、該信号対干渉雑音比の閾値を下回らない範囲で、前記端末の送信電力を低下させることを特徴とする無線リソース割当装置である。
【００２４】
また、本発明は、前記電力算出部が、前記端末の送信電力に上限値及び下限値を定めることを特徴とする無線リソース割当装置である。
【００２５】
また、本発明は、与干渉局と被干渉局との干渉を時分割多重型干渉制御する無線通信システムのコンピュータに、干渉を制御するためのサブフレームであるか否かを示すサブフレームタイプを定める手順と、前記サブフレームタイプに基づいて、無線リソース割当の優先度を定めるためのメトリックのパラメータを算出する手順と、前記パラメータに基づいて、前記メトリックを算出する手順と、前記メトリックに基づいて、前記被干渉局の上りリンクの無線リソースを割り当てる手順と、を実行させるための無線リソース割当プログラムである。
【発明の効果】
【００２６】
本発明によれば、パラメータ算出部は、サブフレームタイプに基づいて、無線リソース割当の優先度を定めるためのメトリックのパラメータを算出する。これにより、無線リソース割当装置は、マクロ基地局と他の基地局とを有するヘテロジニアスネットワークに、下りリンク時分割多重型干渉制御が適用された場合でも、マクロ端末の上りリンクのスループットを低下させないようにすることができる。
【図面の簡単な説明】
【００２７】
【図１】本発明の第１実施形態における、ヘテロジニアスネットワークに適用された下りリンク時分割多重型干渉制御を、時間軸により示す図である。
【図２】本発明の第１実施形態における、ヘテロジニアスネットワークに適用された下りリンク時分割多重型干渉制御を、俯瞰図により示す図である。
【図３】本発明の第１実施形態における、無線リソース割当装置の構成例を示すブロック図である。
【図４】本発明の第２実施形態における、無線リソース割当装置の構成例を示すブロック図である。
【発明を実施するための形態】
【００２８】
［第１実施形態］
本発明の第１実施形態について図面を参照して詳細に説明する。図１には、ヘテロジニアスネットワークに適用された下りリンク時分割多重型干渉制御が、時間軸により示されている。与干渉局としてのマクロ基地局は、干渉制御サブフレームと、ノーマルサブフレームとを、サブフレーム単位で下りリンクにより排他的に送信する。マクロ基地局は、干渉制御サブフレームを送信するタイミングで、データ信号のみならず制御信号も停波させることで、被干渉局としてのピコ基地局の下りリンクへの干渉制御を実現している。
【００２９】
一方、被干渉局としてのピコ基地局は、マクロ基地局が送信したサブフレームに同期して、ノーマルサブフレームを下りリンクによりサブフレーム単位で送信する。また、ピコ基地局は、マクロ基地局が送信したサブフレームのサブフレームタイプに応じて、マクロ端末の上りリンクのスループットを低下させないための干渉制御を実行する。
【００３０】
図２には、ヘテロジニアスネットワークに適用された下りリンク時分割多重型干渉制御が、俯瞰図により示されている。以下、ピコ基地局に接続している端末を、「ピコ端末」という。図２には、マクロ基地局２００と、マクロ端末２１０と、マクロセル２２０と、ピコ基地局３００と、ピコ端末３１０−１及び３１０−２と、ピコセル３２０とが示されている。
【００３１】
図２（Ａ）には、与干渉局としてのマクロ基地局２００がノーマルサブフレームを送信しているタイミングにおける、マクロ基地局２００及びマクロ端末２１０の通信状態と、ピコ基地局３００及びピコ端末３１０の通信状態とが示されている。図２（Ａ）では、マクロ基地局２００がデータ信号及び制御信号を停波させていないので、ピコ基地局３００の下りリンクへの干渉は制御されていない。制御信号が停波されていない場合、マクロ端末２１０は、上りリンクの無線リソース割当の結果が判るので、上りリンクにより無線リソースをマクロ基地局２００に送信することができる。
【００３２】
一方、図２（Ｂ）には、与干渉局としてのマクロ基地局２００が干渉制御サブフレームを送信しているタイミングにおける、マクロ基地局２００及びマクロ端末２１０の通信状態と、ピコ基地局３００及びピコ端末３１０の通信状態とが示されている。図２（Ｂ）では、マクロ基地局２００がデータ信号のみならず制御信号も停波させているので、ピコ基地局３００の下りリンクへの干渉は制御されている。制御信号が停波された場合、マクロ端末２１０は、上りリンクの無線リソース割当の結果が判らないので、上りリンクにより無線リソースをマクロ基地局２００に送信することができない。
【００３３】
なお、無線リソース割当装置は、マクロ基地局以外の基地局（ローカルノード）であれば、ピコ基地局に限らず、例えば、フェムト基地局に備えられてもよい。以下では、一例として、無線リソース割当装置はピコ基地局に備えられているものとして説明を続ける。
【００３４】
図３には、無線リソース割当装置の構成例が、ブロック図により示されている。マクロ基地局とピコ基地局とを有するヘテロジニアスネットワークにおいて、無線リソース割当装置１００ａは、ピコ基地局に備えられる。無線リソース割当装置１００ａは、ピコ端末の上りリンクにおける無線リソース割当を、ピコ端末毎に重み係数を定めることにより制御する。
【００３５】
これにより、無線リソース割当装置１００ａは、マクロ基地局の下りリンクへの与干渉を低減させることができる。つまり、無線リソース割当装置１００ａは、マクロ端末における受信品質を向上させ、そのマクロ端末の上りリンクのスループットを低下させないようにすることができる。
【００３６】
無線リソース割当装置１００ａは、設定部１１０と、メトリック算出部１２０と、割当部１３０と、処理部１４０と、パラメータ算出部１５０ａとを備える。パラメータ算出部１５０ａは、判定部１５１と、重み算出部１５２とを有する。
【００３７】
設定部１１０は、マクロ基地局から送信されるサブフレームのサブフレームタイプ毎の送信タイミング、すなわち、ノーマルサブフレーム及び干渉制御サブフレームのそれぞれの送信タイミングを、システムパラメータとして取得する（定める）。設定部１１０は、サブフレームのサブフレームタイプ毎の送信タイミングを示す情報（以下、「サブフレームタイプ情報」という）を、メトリック算出部１２０と、重み算出部１５２とに出力する。
【００３８】
判定部１５１は、所定条件が成立するピコ端末であるか否かを、ピコ端末毎に判定する。ここで、所定条件とは、例えば、パスロスに基づく条件である。例えば、判定部１５１は、システムパラメータとして予め定められた下りリンクのパスロス閾値（閾値ＰＬＴＨ）と、ピコ端末毎の下りリンクのパスロス値とを比較することにより、前記所定条件が成立するピコ端末の集合Ｓを定める。また、例えば、判定部１５１は、下りリンクのパスロス累積分布関数値(Ｃｕｍｕｌａｔｉｖｅ Ｄｉｓｔｒｉｂｕｔｉｏｎ Ｆｕｎｃｔｉｏｎ：ＣＤＦ）をピコセル毎に算出し、算出した下りリンクのパスロスＣＤＦの [％］閾値（閾値ＰＬＴＨ）と、ピコ端末毎の下りリンクのパスロス値とを比較することにより、前記所定条件が成立するピコ端末の集合Ｓを定めてもよい。また、所定条件とは、例えば、全てのピコ端末に成り立つ条件でもよい。この場合、集合Ｓは、全てのピコ端末を含む集合である。
【００３９】
判定部１５１は、前記所定条件が成立するピコ端末であるか否かを示す情報（以下、「対象端末情報」という）を、ピコ端末毎に重み算出部１５２に出力する。判定部１５１（パラメータ算出部１５０ａ）の詳細については後述する。
【００４０】
重み算出部１５２には、サブフレームタイプ情報が、設定部１１０から入力される。重み算出部１５２は、サブフレームタイプ情報に基づいて、ピコ端末毎の重み係数を定める。ここで、重み係数とは、無線リソース割当の優先度を定めるためのメトリック（指標）を算出するためのパラメータである。
【００４１】
また、重み算出部１５２には、対象端末情報が、判定部１５１から入力される。重み算出部１５２は、サブフレームタイプ情報、及び対象端末情報に基づいて、ピコ端末毎の重み係数を定めてもよい。
【００４２】
重み算出部１５２は、メトリックを算出するためのパラメータとして、ピコ端末毎の重み係数を、メトリック算出部１２０に出力する。重み算出部１５２（パラメータ算出部１５０ａ）の詳細については後述する。
【００４３】
メトリック算出部１２０には、サブフレームタイプ情報と、ピコ端末毎の重み係数とが入力される。メトリック算出部１２０は、ピコ端末毎の重み係数を積算することにより、ピコ端末毎のメトリックを、サブフレーム毎に算出する。メトリック算出部１２０は、ピコ端末毎のメトリックを示す情報を、サブフレーム毎に割当部１３０に出力する。
【００４４】
ここで、メトリック算出部１２０は、マクロ基地局２００からノーマルサブフレームが送信されているタイミングに送信される、ピコ端末の上りリンクの無線リソースを、パスロス値又はパスロスＣＤＦが小さいピコ端末に、優先的に割り当てる。一方、メトリック算出部１２０は、マクロ基地局２００から干渉制御サブフレームが送信されているタイミングに送信される、ピコ端末の上りリンクの無線リソースを、パスロス値又はパスロスＣＤＦが大きいピコ端末に、優先的に割り当てる。
【００４５】
割当部１３０は、ピコ端末毎のメトリックを示す情報に基づいて、ピコ端末の上りリンクの無線リソースを割り当てる。割当部１３０は、ピコ端末の上りリンクの無線リソース割当の結果を示す情報（以下、「割当情報」という）を、処理部１４０に出力する。
【００４６】
処理部１４０は、割当情報を含めた下りリンク制御信号を変調し、アンテナを介してピコ端末に無線送信する。
【００４７】
ピコ端末３１０−１及び３１０−２（図２を参照）は、下りリンク制御信号を受信して復調することにより、割当情報を検知する。ピコ端末は、割当情報に基づいて、自端末に割り当てられた無線リソースにより、ピコ基地局３００に上りリンク信号を送信する。
【００４８】
次に、パラメータ算出部１５０ａの詳細について説明する。
＜重み係数が、サブフレームタイプに基づいて、固定値として定められる場合＞
判定部１５１は、システムパラメータとして予め定められた下りリンクのパスロス閾値（閾値ＰＬＴＨ）と、ピコ端末ｊ毎の下りリンクのパスロス値ＰＬｊとを比較することにより、条件「ピコ端末ｊのパスロス値ＰＬｊ≦閾値ＰＬＴＨ」が成立するピコ端末ｊの集合（ｊ∈Ｓ）を、所定条件が成立するピコ端末ｊの集合Ｓと定める。
【００４９】
重み算出部１５２は、システムパラメータとして予め定められた固定値ａ及びｂを、ピコ端末ｊ、サブフレームｉにおける重み係数ｗ（ｉ，ｊ）と定める。固定値ａ及びｂは、例えば、ピコ端末の数ＮＵＥに基づいて定められる値である。重み係数ｗ（ｉ，ｊ）は、式（１）により表される。
【００５０】
【数１】
2013183166.tif 000003
【００５１】
ここで、「ＩＣＩＣ（Ｉｎｔｅｒ‐Ｃｅｌｌ Ｉｎｔｅｒｆｅｒｅｎｃｅ Ｃｏｏｒｄｉｎａｔｉｏｎ）ｓｕｂｆｒａｍｅ」は、サブフレームｉが干渉制御サブフレームであることを表す。また、「Ｎｏｒｍａｌ  ｓｕｂｆｒａｍｅ」は、サブフレームｉがノーマルサブフレームであることを表す。
【００５２】
つまり、ピコ端末ｊが集合Ｓの要素であり、且つ、サブフレームｉがノーマルサブフレームである場合、重み係数ｗ（ｉ，ｊ）は、値ａである。また、ピコ端末ｊが集合Ｓの要素でなく、且つ、サブフレームｉが干渉制御サブフレームである場合、重み係数ｗ（ｉ，ｊ）は、値ｂである。また、これらのいずれにも当てはまらない場合、重み係数ｗ（ｉ，ｊ）は、値１である。
【００５３】
＜重み係数が、サブフレームタイプ毎のサブフレーム数に基づいて定められる場合＞
判定部１５１は、下りリンクのパスロスＣＤＦのＣ[％］閾値を、ピコセル毎に算出する。判定部１５１は、算出したパスロスＣＤＦのＣ [％］閾値（閾値ＰＬＴＨ）と、ピコ端末ｊ毎の下りリンクのパスロス値ＰＬｊとを比較することにより、条件「ピコ端末ｊのパスロス値ＰＬｊ≦閾値ＰＬＴＨ」が成立するピコ端末ｊの集合（ｊ∈Ｓ）を、所定条件が成立するピコ端末ｊの集合Ｓと定める。
【００５４】
重み算出部１５２は、マクロ基地局２００から送信される所定サブフレーム数（例えば、４０サブフレーム）のサブフレームのうち、ノーマルサブフレーム数を、サブフレームタイプ情報に基づいて計数する。また、重み算出部１５２は、マクロ基地局２００から送信される前記所定サブフレーム数のサブフレームのうち、干渉制御サブフレーム数を、サブフレームタイプ情報に基づいて計数する。
【００５５】
重み算出部１５２は、マクロ基地局２００から送信される前記所定サブフレーム数のサブフレームのうち、サブフレームタイプ毎のサブフレーム数（割合）に基づいて、重み係数ｗ（ｉ，ｊ）を算出する。重み係数ｗ（ｉ，ｊ）は、式（２）により表される。
【００５６】
【数２】
2013183166.tif 000004
【００５７】
ここで、ＮＮｏｒｍａｌは、前記所定サブフレーム数のサブフレームのうち、ノーマルサブフレームの数を表す。また、ＮＩＣＩＣは、前記所定サブフレーム数のサブフレームのうち、干渉制御サブフレームの数を表す。また、ｘ及びｙは、重み係数に乗算される予め定められた固定値を表す。
【００５８】
つまり、ピコ端末ｊが集合Ｓの要素であり、且つ、サブフレームｉがノーマルサブフレームである場合、重み係数ｗ（ｉ，ｊ）は、値（ｘ・４０／ＮＮｏｒｍａｌ）である。また、ピコ端末ｊが集合Ｓの要素でなく、且つ、サブフレームｉが干渉制御サブフレームである場合、重み係数ｗ（ｉ，ｊ）は、値（ｙ・４０／ＮＩＣＩＣ）である。また、これらのいずれにも当てはまらない場合、重み係数ｗ（ｉ，ｊ）は、値１である。
【００５９】
＜重み係数が、ピコ端末毎のパスロス値の差に基づいて定められる場合＞
判定部１５１は、全てのピコ端末ｊの集合（ｊ∈Ｓ）を、所定条件が成立するピコ端末ｊの集合Ｓと定める。
【００６０】
重み算出部１５２は、マクロ基地局２００から送信される所定サブフレーム数（例えば、４０サブフレーム）のサブフレームのうち、ノーマルサブフレーム数を、サブフレームタイプ情報に基づいて計数する。また、重み算出部１５２は、マクロ基地局２００から送信される前記所定サブフレーム数のサブフレームのうち、干渉制御サブフレーム数を、サブフレームタイプ情報に基づいて計数する。
【００６１】
重み算出部１５２は、マクロ基地局２００から送信される前記所定サブフレーム数のサブフレームのうち、サブフレームタイプ毎のサブフレーム数と、ピコ端末ｊ毎のパスロス値の差（＝ＰＬｊ−ＰＬｍｉｎ）とに基づいて、重み係数ｗ（ｉ，ｊ）を算出する。重み係数ｗ（ｉ，ｊ）は、式（３）により表される。
【００６２】
【数３】
2013183166.tif 000005
【００６３】
ここで、ＮＮｏｒｍａｌは、前記所定サブフレーム数のサブフレームのうち、ノーマルサブフレームの数を表す。また、ＮＩＣＩＣは、前記所定サブフレーム数のサブフレームのうち、干渉制御サブフレームの数を表す。また、ＰＬｍａｘは、システムパラメータとして予め定められたパスロスの最大値を表す。また、ＰＬｍｉｎは、システムパラメータとして予め定められたパスロスの最小値を表す。また、ｗｍｉｎは、システムパラメータとして予め定められた重み係数の最小値を表す。
【００６４】
つまり、サブフレームｉがノーマルサブフレームである場合、重み係数ｗ（ｉ，ｊ）は、式（３）の上段に示されているように、ピコ端末ｊ毎のパスロス値の差（＝ＰＬｊ−ＰＬｍｉｎ）及び干渉制御サブフレームの数ＮＩＣＩＣに基づく値である。また、サブフレームｉが干渉制御サブフレームである場合、重み係数ｗ（ｉ，ｊ）は、式（３）の下段に示されているように、ピコ端末ｊ毎のパスロス値の差（＝ＰＬｊ−ＰＬｍｉｎ）及びノーマルサブフレームの数ＮＮｏｒｍａｌに基づく値である。
【００６５】
以上のように、与干渉局（マクロ基地局）と被干渉局（例えば、ピコ基地局、フェムト基地局）との干渉を時分割（例えば、サブフレーム単位）多重型干渉制御する無線通信システムにおいて、無線リソース割当装置１００ａは、干渉を制御するためのサブフレーム（干渉制御サブフレーム）であるか否かを示すサブフレームタイプを定める設定部１１０と、サブフレームタイプに基づいて、無線リソース割当の優先度を定めるためのメトリックのパラメータを算出するパラメータ算出部１５０ａと、前記パラメータに基づいて、前記メトリックを算出するメトリック算出部１２０と、前記メトリックに基づいて、前記被干渉局の上りリンクの無線リソースを割り当てる割当部１３０と、を備える。
この構成により、パラメータ算出部１５０ａは、サブフレームタイプに基づいて、無線リソース割当の優先度を定めるためのメトリックのパラメータを算出する。これにより、無線リソース割当装置は、マクロ基地局と他の基地局（例えば、ピコ基地局、フェムト基地局）とを有するヘテロジニアスネットワークに、下りリンク時分割多重型干渉制御が適用された場合でも、マクロ端末の上りリンクのスループットを低下させないようにすることができる。つまり、無線リソース割当装置は、下りリンク時分割多重型干渉制御を適用する移動体通信システムの上りリンクにおいて、適応的に無線リソース割当を制御して、マクロ端末の上りリンクのスループットの低下を補償することができる。
【００６６】
また、与干渉局（マクロ基地局）と被干渉局（例えば、ピコ基地局、フェムト基地局）との干渉を時分割（例えば、サブフレーム単位）多重型干渉制御する無線通信システムのコンピュータに、干渉を制御するためのサブフレーム（干渉制御サブフレーム）であるか否かを示すサブフレームタイプを定める手順と、前記サブフレームタイプに基づいて、無線リソース割当の優先度を定めるためのメトリックのパラメータ（例えば、重み係数）を算出する手順と、前記パラメータに基づいて、前記メトリックを算出する手順と、前記メトリックに基づいて、前記被干渉局の上りリンクの無線リソースを割り当てる手順と、を実行させるための無線リソース割当プログラムである。
【００６７】
また、メトリック算出部１２０は、前記干渉を制御するためのサブフレーム（干渉制御サブフレーム）を前記サブフレームタイプが示す場合、パスロスが相対的に大きい端末に無線リソースを優先して割り当てるよう前記パラメータを算出し、前記干渉を制御するためのサブフレームでないサブフレーム（ノーマルサブフレーム）を前記サブフレームタイプが示す場合、パスロスが相対的に小さい端末に無線リソースを優先して割り当てるよう前記パラメータを算出する。
【００６８】
また、パラメータ算出部１５０ａは、所定条件が成立する端末であるか否かを端末毎に判定する判定部１５１と、前記サブフレームタイプに基づいて端末毎の重み係数（ｗ（ｉ，ｊ））を定める重み算出部１５２と、を有し、メトリック算出部１２０は、前記端末（ピコ端末）毎の重み係数を積算することにより、端末毎のメトリックをサブフレーム毎に算出する。
【００６９】
また、判定部１５１は、予め定められたパスロス閾値と、端末毎（ピコ端末）のパスロス値とを比較することにより、前記所定条件が成立する端末であるか否かを端末毎に判定する。
【００７０】
また、判定部１５１は、セル毎のパスロス累積分布関数値（ＣＤＦ）に基づく閾値と、端末毎のパスロス値とを比較することにより、前記所定条件が成立する端末であるか否かを端末毎に判定する。
【００７１】
また、重み算出部１５２は、予め定められた固定値（例えば、値ａ、値ｂ）を、前記端末毎の重み係数と定める。
また、重み算出部１５２は、前記サブフレームタイプ毎のサブフレーム数（例えば、ＮＮｏｒｍａｌ、ＮＩＣＩＣ）に基づいて、前記端末毎の重み係数を定める。
また、重み算出部１５２は、端末毎のパスロス値ＰＬｊに基づいて、前記端末毎の重み係数を定める。
【００７２】
［第２実施形態］
第２実施形態では、メトリックを算出するためのパラメータが、ピコ端末毎の重み係数でなく、ピコ端末の送信電力である点が、第１実施形態と相違する。以下では、第１実施形態との相違点についてのみ説明する。
【００７３】
図４には、無線リソース割当装置の構成例が、ブロック図により示されている。マクロ基地局とピコ基地局とを有するヘテロジニアスネットワークにおいて、無線リソース割当装置１００ｂは、ピコ基地局に備えられる。無線リソース割当装置１００ｂは、ピコ端末の上りリンクにおける無線リソースの送信電力を、ピコ端末毎に定めることにより制御する。
【００７４】
これにより、無線リソース割当装置１００ｂは、マクロ基地局の下りリンクへの与干渉を低減させることができる。つまり、無線リソース割当装置１００ｂは、マクロ端末における受信品質を向上させ、そのマクロ端末の上りリンクのスループットを低下させないようにすることができる。
【００７５】
無線リソース割当装置１００ｂは、設定部１１０と、メトリック算出部１２０と、割当部１３０と、処理部１４０と、パラメータ算出部１５０ｂとを備える。パラメータ算出部１５０ｂは、電力算出部１５３を有する。
【００７６】
電力算出部１５３には、サブフレームタイプ情報が、設定部１１０から入力される。電力算出部１５３は、サブフレームタイプに基づいて、ピコ端末の送信電力を定める。ここで、電力算出部１５３は、ピコ端末の送信電力を、各ピコ端末にそのまま通知してもよい。また、電力算出部１５３は、システムパラメータとして予め定められた送信電力値（基準値）に対する差分値（送信電力変化量）（以下、「差分電力値」という）により、ピコ端末の送信電力を各ピコ端末に通知してもよい。また、電力算出部１５３は、差分電力値を示す情報を、ＬＴＥ（Ｌｏｎｇ Ｔｅｒｍ Ｅｖｏｌｕｔｉｏｎ）規格に基づいて、各ピコ端末に通知してもよい。
【００７７】
また、差分電力値を示す情報は、例えば、前回通知した差分電力値と、今回通知する差分電力値との差分（以下、「差分電力値の差分」という）を示す情報でもよい。以下では、一例として、差分電力値の差分により、ピコ端末の送信電力が各ピコ端末に通知されるものとして説明を続ける。
【００７８】
メトリック算出部１２０には、サブフレームタイプ情報と、差分電力値の差分を示す情報とが入力される。メトリック算出部１２０は、差分電力値の差分を示す情報に基づいて、ピコ端末の上りリンクの無線リソース毎の受信品質を推定する。また、メトリック算出部１２０は、ピコ端末の上りリンクの無線リソース毎の受信品質に基づいて、ピコ端末毎のメトリックを算出する。メトリック算出部１２０は、ピコ端末毎のメトリックを示す情報を、サブフレーム毎に割当部１３０に出力する。
【００７９】
次に、パラメータ算出部１５０ｂの詳細について説明する。
電力算出部１５３は、サブフレームタイプ情報に基づいて、差分電力値の差分δＰＵＳＣＨ（ｉ）を、サブフレームタイプ毎に定める。差分電力値の差分δＰＵＳＣＨ（ｉ）には、上限値（Δｍａｘ）及び下限値（Δｍｉｎ）が定められてもよい。
【００８０】
＜ピコ端末の送信電力値（差分電力値の差分）が、サブフレームタイプのみに基づいて定められる場合＞
電力算出部１５３は、サブフレームタイプ情報が干渉制御サブフレームを示す場合、ピコ端末の送信電力が増加するように、差分電力値の差分を定める。一方、電力算出部１５３は、サブフレームタイプ情報がノーマルサブフレームを示す場合、ピコ端末の送信電力が減少するように、差分電力値の差分を定める。差分電力値の差分δＰＵＳＣＨ（ｉ）は、式（４）により表される。
【００８１】
【数４】
2013183166.tif 000006
【００８２】
つまり、差分電力値の差分δＰＵＳＣＨ（ｉ）は、サブフレームｉが干渉制御サブフレームである場合、＋１［ｄＢｍ］とされる。また、差分電力値の差分δＰＵＳＣＨ（ｉ）は、サブフレームｉがノーマルサブフレームである場合、−１［ｄＢｍ］とされる。
【００８３】
＜ピコ端末の送信電力値（差分電力値の差分）が、サブフレームタイプ、及びワイドバンド信号対干渉雑音比（Ｗｉｄｅｂａｎｄ  Ｓｉｇｎａｌ‐ｔｏ‐Ｉｎｔｅｒｆｅｒｅｎｃｅ ａｎｄ Ｎｏｉｓｅ Ｒａｔｉｏ：Ｗｉｄｅｂａｎｄ  ＳＩＮＲ）値に基づいて定められる場合＞
電力算出部１５３は、システムパラメータとして予め定められたＳＩＮＲ閾値（ＳＩＮＲｔｈ）を取得する。
【００８４】
電力算出部１５３は、サブフレームタイプ情報がノーマルサブフレームを示す場合、ピコ端末ｊのワイドバンドＳＩＮＲ値（ＳＩＮＲ（ｉ，ｊ））がＳＩＮＲ閾値（ＳＩＮＲｔｈ（ｉ））を下回らない範囲で、ピコ端末の送信電力が低下するように、差分電力値の差分を定める。一方、電力算出部１５３は、サブフレームタイプ情報が干渉制御サブフレームを示す場合、ピコ端末の送信電力が増加するように、差分電力値の差分を定める。差分電力値の差分δＰＵＳＣＨ（ｉ）は、式（５）により表される。
【００８５】
【数５】
2013183166.tif 000007
【００８６】
ここで、ＳＩＮＲ（ｉ，ｊ）は、サブフレームｉにおける、ピコ端末（Ｕｓｅｒ Ｅｑｕｉｐｍｅｎｔ：ＵＥ）ｊのワイドバンドＳＩＮＲ値を表す。また、ＳＩＮＲｔｈ（ｉ）は、システムパラメータとして予め定められた閾値であって、全てのピコ端末に対して同一の閾値である。
【００８７】
つまり、サブフレームｉが干渉制御サブフレームである場合、差分電力値の差分δＰＵＳＣＨ（ｉ）は、式（５）の上段に示されているように、＋１［ｄＢｍ］である。また、サブフレームｉがノーマルサブフレームであり、且つ、ワイドバンドＳＩＮＲ値（ＳＩＮＲ（ｉ，ｊ））が閾値（ＳＩＮＲｔｈ（ｉ））以下である場合、差分電力値の差分δＰＵＳＣＨ（ｉ）は、式（５）の中段に示されているように、０［ｄＢｍ］である。また、サブフレームｉがノーマルサブフレームであり、且つ、ワイドバンドＳＩＮＲ値（ＳＩＮＲ（ｉ，ｊ））が閾値（ＳＩＮＲｔｈ（ｉ））を超えている場合、差分電力値の差分δＰＵＳＣＨ（ｉ）は、式（５）の下段に示されているように、−１［ｄＢｍ］である。
【００８８】
＜ピコ端末の送信電力値（差分電力値の差分）が、サブフレームタイプ、及び割り当てる無線リソースのＳＩＮＲ値に基づいて定められる場合＞
式（５）において、ＳＩＮＲ閾値（ＳＩＮＲｔｈ）は、ピコ端末毎に異なる閾値でもよい。この場合、ＳＩＮＲ閾値（ＳＩＮＲｔｈ）は、例えば、下りリンクのパスロス値と閾値との比較に基づいて定められたシステムパラメータとして、予め定められる。
【００８９】
電力算出部１５３は、サブフレームタイプ情報がノーマルサブフレームを示す場合、ピコ端末に割り当てる無線リソースのＳＩＮＲ値がＳＩＮＲ閾値（ＳＩＮＲｔｈ（ｉ））を下回らない範囲で、ピコ端末の送信電力が低下するように、差分電力値の差分を定める。
【００９０】
具体的には、電力算出部１５３は、下りリンクのパスロス値ＰＬｊがパスロス閾値（閾値ＰＬＴＨ）以下であるピコ端末ｊに対して、ＳＩＮＲ閾値（ＳＩＮＲｔｈ）として、ＳＩＮＲ閾値（ＳＩＮＲＣｅｎｔｅｒ）を定める。また、電力算出部１５３は、下りリンクのパスロス値ＰＬｊがパスロス閾値（閾値ＰＬＴＨ）を超えているピコ端末ｊに対して、ＳＩＮＲ閾値（ＳＩＮＲｔｈ）として、ＳＩＮＲ閾値（ＳＩＮＲＥｄｇｅ）を定める。ここで、ＳＩＮＲ閾値（ＳＩＮＲＣｅｎｔｅｒ）は、ＳＩＮＲ閾値（ＳＩＮＲＥｄｇｅ）よりも小さな値であるとする。
【００９１】
つまり、下りリンクのパスロス値ＰＬｊが大きいピコ端末では、下りリンクのパスロス値ＰＬｊが小さいピコ端末と比較して、マクロ端末に与える干渉が大きいため、ピコ端末の送信電力は、ＳＩＮＲ閾値（ＳＩＮＲＣｅｎｔｅｒ）がＳＩＮＲ閾値（ＳＩＮＲＥｄｇｅ）よりも小さな値であれば抑制される。これにより、電力算出部１５３は、マクロ端末への与干渉を低減させ、マクロ端末の上りリンクのスループットを低下させないようにすることができる。
【００９２】
＜ピコ端末の送信電力値（差分電力値の差分）が、サブフレームタイプ、割り当てる無線リソースのＳＩＮＲ値、及びパスロスＣＤＦに基づいて定められる場合＞
式（５）において、ＳＩＮＲ閾値（ＳＩＮＲｔｈ）は、ピコ端末毎に異なる閾値でもよい。この場合、ＳＩＮＲ閾値（ＳＩＮＲｔｈ）は、例えば、下りリンクのパスロスＣＤＦと閾値との比較に基づいて定められたシステムパラメータとして、予め定められる。
【００９３】
具体的には、電力算出部１５３は、下りリンクのパスロスＣＤＦのＣ[％］閾値を、閾値ＰＬＴＨとしてピコセル毎に算出する。また、電力算出部１５３は、算出したパスロスＣＤＦのＣ [％］閾値（閾値ＰＬＴＨ）と、ピコ端末ｊ毎の下りリンクのパスロス値ＰＬｊとを比較する。
【００９４】
電力算出部１５３は、下りリンクのパスロス値ＰＬｊが、パスロスＣＤＦのＣ[％］閾値（閾値ＰＬＴＨ）以下であるピコ端末ｊに対して、ＳＩＮＲ閾値（ＳＩＮＲｔｈ）として、ＳＩＮＲ閾値（ＳＩＮＲＣｅｎｔｅｒ）を定める。また、電力算出部１５３は、下りリンクのパスロス値ＰＬｊが、パスロスＣＤＦのＣ[％］閾値（閾値ＰＬＴＨ）を超えているピコ端末ｊに対して、ＳＩＮＲ閾値（ＳＩＮＲｔｈ）として、ＳＩＮＲ閾値（ＳＩＮＲＥｄｇｅ）を定める。ここで、ＳＩＮＲ閾値（ＳＩＮＲＣｅｎｔｅｒ）は、ＳＩＮＲ閾値（ＳＩＮＲＥｄｇｅ）よりも小さな値であるとする。
【００９５】
＜ピコ端末の送信電力値（差分電力値の差分）が、ワイドバンドＳＩＮＲ値に応じた閾値に基づいて定められる場合＞
式（５）において、ＳＩＮＲ閾値（ＳＩＮＲｔｈ）は、ピコ端末毎に異なる閾値でもよい。この場合、ＳＩＮＲ閾値（ＳＩＮＲｔｈ）は、例えば、ワイドバンドＳＩＮＲ値に基づいて、システムパラメータとして予め定められる。
【００９６】
具体的には、電力算出部１５３は、ワイドバンドＳＩＮＲ値（ＳＩＮＲｗｉｄｅ（ｉ，ｊ））に、オフセット値（ｏｆｆｓｅｔ）を加算した値を、ＳＩＮＲ閾値（ＳＩＮＲｔｈ）として算出する。ここで、オフセット値は、全てのピコ端末に対して同一の値である。
【００９７】
以上のように、電力算出部１５３は、前記サブフレームタイプに基づいて端末の送信電力を定める。メトリック算出部１２０は、前記端末（ピコ端末）の送信電力に基づいて、無線リソース毎の受信品質を推定することにより、端末毎のメトリックを算出する。
これにより、無線リソース割当装置は、マクロ基地局と他の基地局（例えば、ピコ基地局、フェムト基地局）とを有するヘテロジニアスネットワークに、下りリンク時分割多重型干渉制御が適用された場合でも、マクロ端末の上りリンクのスループットを低下させないようにすることができる。つまり、無線リソース割当装置は、下りリンク時分割多重型干渉制御を適用する移動体通信システムの上りリンクにおいて、適応的に無線リソース割当を制御して、マクロ端末の上りリンクのスループットの低下を補償することができる。
【００９８】
また、電力算出部１５３は、前記干渉を制御するためのサブフレーム（干渉制御サブフレーム）を前記サブフレームタイプが示す場合、前記端末の送信電力を増加させ、前記干渉を制御するためのサブフレームでないサブフレーム（ノーマルサブフレーム）を前記サブフレームタイプが示す場合、前記端末の送信電力を低下させる。
【００９９】
また、電力算出部１５３は、前記干渉を制御するためのサブフレーム（干渉制御サブフレーム）を前記サブフレームタイプが示す場合、前記端末の送信電力を増加させ、前記干渉を制御するためのサブフレームでないサブフレーム（ノーマルサブフレーム）を前記サブフレームタイプが示す場合、ワイドバンド信号対干渉雑音比（ＳＩＮＲ）、又は、端末毎に割り当てた無線リソースにおける信号対干渉雑音比（ＳＩＮＲ）、が、信号対干渉雑音比の閾値（ＳＩＮＲ閾値）を下回らない範囲で、前記端末（ピコ端末）の送信電力を低下させる。
【０１００】
また、電力算出部１５３は、全ての端末（ピコ端末）について同じ値である前記端末毎の前記信号対干渉雑音比の閾値（ＳＩＮＲ閾値）を下回らない範囲で、前記端末の送信電力を低下させる。
【０１０１】
また、電力算出部１５３は、端末毎のパスロス値ＰＬｊに基づいて定められた、前記端末毎の前記信号対干渉雑音比の閾値（ＳＩＮＲ閾値）を取得し、該信号対干渉雑音比の閾値を下回らない範囲で、前記端末の送信電力を低下させる。
【０１０２】
また、電力算出部１５３は、セル毎のパスロス累積分布関数値（ＣＤＦ）に基づいて定められた、前記端末毎の前記信号対干渉雑音比の閾値（ＳＩＮＲ閾値）を取得し、該信号対干渉雑音比の閾値を下回らない範囲で、前記端末の送信電力を低下させる。
【０１０３】
また、電力算出部１５３は、ワイドバンド信号対干渉雑音比（ＳＩＮＲ）に基づいて定められた、前記端末毎の前記信号対干渉雑音比の閾値（ＳＩＮＲ閾値）を取得し、該信号対干渉雑音比の閾値を下回らない範囲で、前記端末の送信電力を低下させる。
【０１０４】
また、電力算出部１５３は、前記端末の送信電力に上限値（Δｍａｘ）及び下限値（Δｍｉｎ）を定める。
【０１０５】
以上、この発明の実施形態について図面を参照して詳述してきたが、具体的な構成はこの実施形態に限られるものではなく、この発明の要旨を逸脱しない範囲の設計等も含まれる。
【０１０６】
なお、上記に説明した無線リソース割当装置を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【０１０７】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１０８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【０１０９】
１００ａ及び１００ｂ…無線リソース割当装置、１１０…設定部、１２０…メトリック算出部、１３０…割当部、１４０…処理部、１５０ａ及び１５０ｂ…パラメータ算出部、１５１…判定部、１５２…重み算出部、１５３…電力算出部
【図１】
2013183166.tif 000008
【図２】
2013183166.tif 000009
【図３】
2013183166.tif 000010
【図４】
2013183166.tif 000011